(57)【要約】【課題】  この発明はベッド本体の収容部に収容された第１の収納ケースと第２の収納ケースとを円滑に引き出すことができるようにしたベッド装置を提供することにある。【解決手段】  幅方向の一側面が開口し内部を収容部１０とするとともに上面にマットレスが載置されるベッド本体１と、収容部に上記ベッド本体の幅方向に沿って順次出し入れ可能に収納された第１の収納ケース１５及び第２の収納ケース１６と、ベッド本体の内底部に幅方向に沿ってスライド可能に設けられ先端部がベッド本体の開口した一側面側に位置し後端には収納部の奥側に位置する第２の収納ケースに係合する係合部３２が形成されていて、上記収容部から第１の収納ケースを引き出した後で、収容部から引き出す方向にスライドさせることでそのスライドに上記第２の収納ケースを上記係合部を介して連動させる引き出し部材２８とを具備する。【選択図】      図６
2005312752.tif 000002
【特許請求の範囲】
【請求項１】
幅方向の一側面が開口し内部を収容部とするとともに上面にマットレスが載置されるベッド本体と、
上記収容部に上記ベッド本体の幅方向に沿って順次出し入れ可能に収納された第１の収納ケース及び第２の収納ケースと、
上記ベッド本体の内底部に幅方向に沿ってスライド可能に設けられ先端部がベッド本体の開口した一側面側に位置し後端には収納部の奥側に位置する第２の収納ケースに係合する係合部が形成されていて、上記収容部から第１の収納ケースを引き出した後で、収容部から引き出す方向にスライドさせることでそのスライドに上記第２の収納ケースを上記係合部を介して連動させる引き出し部材と
を具備したことを特徴とするベッド装置。
【請求項２】
上記ベッド本体は、並設された第１の箱状体と第２の箱状体とによって形成されていて、一対の箱状体の少なくとも一方には上記収容部が形成されていることを特徴とする請求項１記載のベッド装置。
【請求項３】
上記第１の収納ケースの両側外面にはインナガイドが設けられ、上記収容部の両側内面にはガイド桟が設けられ、このガイド桟の上記収容部の開口側に位置する一端部の側面には上記インナガイドがスライド可能に係合するアウタガイドが設けられていて、
上記第２の収納ケースは幅方向の両側下端面を上記ガイド桟の上面にスライド可能に係合させていることを特徴とする請求項１記載のベッド装置。
【発明の詳細な説明】
【技術分野】
【０００１】
この発明はベッド本体の内部を収納ケースが出し入れ可能に設けられる収容部として利用するベッド装置に関する。
【背景技術】
【０００２】
一般に、ベッド装置はベッド本体を有する。このベッド本体は上面にマットレスが載置されるとともに、長手方向一端にはヘッドボード、他端にはフットボードがほぼ垂直に立設されている。
【０００３】
上記ベッド装置が占有する室内空間を有効利用するため、ベッド本体に、このベッド本体の幅方向一側面が開口した空間部を形成する。そして、この空間部に収納ケースを出し入れできるようにする。それによって、上記収納ケースに衣類などの物品を入れることで、ベッド本体が占有する室内空間の有効利用を図ることができるようにしている。
【０００４】
上記収納ケースによる収容量を拡大するためには、収納ケースのベッド本体の幅方向に沿う寸法、つまり奥行き寸法を大きくしてその容積を拡大することが要求されることになる。
【０００５】
ところで、収納ケースの容積を拡大するために、収納ケースの奥行き寸法を大きくすると、ベッド装置の側方に収納ケースを引き出すことができるだけのスペースを確保しなければならない。しかしながら、ベッド装置が設置される室内空間が十分に広くない場合、ベッド装置の側方に、奥行き寸法の大きな収納ケースを引き出すことができるスペースを確保することが困難なことがある。
【発明の開示】
【発明が解決しようとする課題】
【０００６】
そこで、上記収納ケースをベッド本体の幅方向に対して２つに分割し、手前側の収納ケースを引き出したならば、この収納ケースをたとえばベッド装置の上面などに置き、奥側の収納ケースを引き出せるようにする。それによって、ベッド本体の側方に、このベッド本体の幅寸法と同等のスペースを確保することができなくても、収容部から収容ケースを引き出すことが可能となる。
【０００７】
ところで、ベッド本体の収納部に、ベッド本体の幅方向に対して２つの収納ケースを収容した場合、手前側の収納ケースはそのケースの前端に手を掛けて比較的容易に引き出すことができる。しかしながら、奥側の収納ケースは前端がベッド本体の幅方向の中央部分に位置することになる。そのため、奥側の収納ケースには容易に手を掛けることができないから、使い勝手が悪いということがあった。
【０００８】
この発明は、ベッド本体の幅方向に２つの収納ケースを設けた場合、手前側の収納ケースを引き出した後で、奥側の収納ケースを容易に引き出すことができるようにしたベッド装置を提供することにある。
【課題を解決するための手段】
【０００９】
この発明は、
幅方向の一側面が開口し内部を収容部とするとともに上面にマットレスが載置されるベッド本体と、
上記収容部に上記ベッド本体の幅方向に沿って順次出し入れ可能に収納された第１の収納ケース及び第２の収納ケースと、
上記ベッド本体の内底部に幅方向に沿ってスライド可能に設けられ先端部がベッド本体の開口した一側面側に位置し後端には収納部の奥側に位置する第２の収納ケースに係合する係合部が形成されていて、上記収容部から第１の収納ケースを引き出した後で、収容部から引き出す方向にスライドさせることでそのスライドに上記第２の収納ケースを上記係合部を介して連動させる引き出し部材と
を具備したことを特徴とするベッド装置にある。
【００１０】
上記ベッド本体は、並設された第１の箱状体と第２の箱状体とによって形成されていて、一対の箱状体の少なくとも一方には上記収容部が形成されていることが好ましい。
【００１１】
上記第１の収納ケースの両側外面にはインナガイドが設けられ、上記収容部の両側内面にはガイド桟が設けられ、このガイド桟の上記収容部の開口側に位置する一端部の側面には上記インナガイドがスライド可能に係合するアウタガイドが設けられていて、
上記第２の収納ケースは幅方向の両側下端面を上記ガイド桟の上面にスライド可能に係合させていることが好ましい。
【発明の効果】
【００１２】
この発明によれば、収容部から手前側の第１の収納ケースを引き出したならば、引き出し部材を引くことで、この引き出し部材によって奥側の第２の収納ケースを引き出すことができるから、奥側の第２の収納ケースを比較的容易に引き出すことが可能となる。
【発明を実施するための最良の形態】
【００１３】
以下、この発明の実施の形態を図面を参照して説明する。  
図１乃至図６はこの発明の一実施の形態を示し、図１はこの発明のベッド装置の正面図である。このベッド装置はベッド本体１を備えている。このベッド本体１は並設された２つの箱状体２を有し、これら箱状体２は分離可能に連結されている。図６に示すように、ベッド本体１の幅方向に沿う各箱状体２の幅方向の一側面は全長にわたって開口した開口部２ａに形成されている。
【００１４】
２つの箱状体２は、幅方向と直交する互いの一端面を連結して上記ベッド本体１を形成している。一方の箱状体２の他端面にはヘッドボード３が立設され、他方の箱状体２の他端面にはフットボード４が設けられている。
【００１５】
上記箱状体２は、図２と図３（ａ），（ｂ）に示すように底板５を有する。この底板５の長手方向両端部下面及びヘッドボード３とフットボード４の下面にはそれぞれベッド本体１の幅方向に沿って細長い脚部材６が設けられている。
【００１６】
上記箱状体２は、上記底板５の幅方向の一端に設けられた側板７、長手方向の両端に設けられた端板８、及び側板７と一対の端板８の上端面に設けられた床板９とによって形成されている。それによって、箱状体２の内部は、この箱状体２の幅方向の一側面が開口部２ａとなった収容部１０が形成されている。
【００１７】
図５（ａ）に示すように、上記側板７の外方には外側板１１が所定間隔で平行に配置されている。この外側板１１の長手方向の一端と他端とは上記ヘッドボード３とフットボード４とに着脱可能に連結されている。各箱状体２の側板７と、上記外側板１１との対向する外面と内面との上部にはそれぞれ受け桟１２が設けられている。
【００１８】
これら受け桟１２にはベッド本体１の幅寸法を拡大するための一対の補助床板１３が着脱可能に係合載置される。そして、床板９と補助床板１３とがなす平面には図１に示すマットレスＭが載置される。
【００１９】
つまり、ベッド装置にはシングルサイズ、セミダブルサイズ及びダブルサイズがあるが、箱状体２の幅寸法を一定にし、それぞれのサイズに応じて補助床板１３の幅寸法を変えることで、各サイズに対応する幅寸法に設定できるようになっている。それによって、同一サイズの箱状体２をぞれぞれのサイズのベッド装置に共用することが可能となる。
【００２０】
各箱状体２の収容部１０には、ベッド本体１の幅方向に沿って第１の収納ケース１５と第２の収納ケース１６とが後述するように出し入れ可能に収容される。第１の収納ケース１５は収容部１０の開口部２ａ側である手前側に位置し、第２の収納ケース１６は奥側に位置する。各収納ケース１５，１６は一対の側板１５ａ，１６ａと一対の端板１５ｂ、１６ｂ及び底板１５ｃ、１６ｃとによって上面が開口した箱形状に形成されている。なお、第１の収納ケース１５の前端板１５ｂには図５（ａ）２示すようにこの第１の収納ケース１５が収容部１０に収容されたときにその開口部２ａを閉塞する飾り板１７が設けられている。
【００２１】
図２と図３（ａ）、（ｂ）に示すように、上記収容部１０の両側内面、つまり一対の端板８の内面の下端部には、断面矩形状のガイド桟１８が一側面を接触させて固定されている。このガイド桟１８の他側面には、収容部１０の奥行き寸法の約半分の長さ寸法のアウタガイド１９が設けられている。
【００２２】
図４（ｂ）に示すように、アウタガイド１９は帯状の板材を断面コ字状に曲成したアウタレール部材２１を有する。アウタレール部材２１の一端は他の部分よりも幅寸法が大きくなる拡開部２２に形成されている。拡開部２２には第１のローラ２３が回転可能に設けられている。そして、アウタガイド１９は拡開部２２を収容部１０の開口部２ａ側に位置させて設けられている。
【００２３】
上記第１の収容ケース１５の両側外面にはそれぞれインナガイド２４が前後方向に沿って設けられている。このインナガイド２４は図４（ａ）に示すように帯板状の部材を断面クランク状に曲成したインナレール部材２５を有する。このインナレール部材２５は、詳細は図示しないが、水平な下辺を収納ケース１５の幅方向両端部の下面に重ねて固定され、垂直な中間辺を外面に接触させている。中間辺の長手方向一端部には第２のローラ２６が回転可能かつ回転軸線を水平にして設けられている。
【００２４】
そして、上記第２のローラ２６をアウタガイド１９のアウタレール部材２１に係合させるとともに、上記第１のローラ２３にインナレール部材２５の上辺を係合させる。それによって、第１の収納ケース１５は上記一対のアウタガイド１９に沿ってスライド可能となっている。
【００２５】
上記第２の収納ケース１６は、図２に示すように幅寸法が上記第１の収納ケース１５よりもわずかに大きく形成され、図５に示すように高さ寸法が上記第１の収納ケース１５よりもわずかに小さく形成されている。
【００２６】
上記第２の収納ケース１６は、図３（ｂ）に示すように幅方向の側板１６ａの下端面を上記ガイド桟１８の上面にスライド可能に係合載置して設けられる。ガイド桟１８の上面には第２の収納ケース１６が幅方向にガタ付くのを防止する棒状の規制部材２７が全長にわたって設けられている。さらに、図示しないが、ガイド桟１８の上面には第２の収納ケース１６を円滑にスライドさせるために、たとえば樹脂製テープが貼着される。
【００２７】
すなわち、アウタガイド１９とインナガイド２４を用いて第１の収納ケース１５を出し入れ可能に設けるには、アウタガイド１９の第１のローラ２３にインナガイド２４を係合させ、インナガイド２４の第２のローラ２６をアウタガイド１９に転動可能に係合させなければならない。
【００２８】
したがって、第１のローラ２３が１つだけしか設けられていない１本のアウタガイド１９に２本のインナガイド２４をスライド可能に設けることができない。つまり、アウタガイド１９に第１の収納ケース１５をスライド可能に設けているため、第２の収納ケース１６はガイド桟１８の上面を利用してスライド可能に設けるようにしている。
【００２９】
図２、図５及び図６に示すように、箱状体２の内底面には線材を矩形枠状に曲成した引き出し部材２８が収容部１０の開口部２ａから引き出すことができるよう、スライド可能に設けられている。
【００３０】
箱状体２の内底面の開口部２ａ側の一端部には一対の支持部材２９が収容部１０の幅方向、つまりベッド本体１の長手方向に対して所定間隔で離間して取り付け固定されている。引き出し部材２８の両側辺２８ａは上記支持部材２９にスライド可能に支持されている。引き出し部材２８の先端には手掛け部３１になっていて、後端はＬ字状に屈曲されて起立した係合部３２に形成されている。
【００３１】
第１の収納ケース１５の後端板１５ｂには上記引き出し部材２８の両側辺２８ａが挿通される切り欠き部３３が形成されている。図５（ａ）に示すように、切り欠き部３３を挿通された引き出し部材２８の後端の係合部３２の上端部は、第２の収納ケース１６の前端板１６ｂの裏面下端部に設けられた当接部材３４に対向している。
【００３２】
なお、収容部１０の内底面には、上記引き出し部材２８をスライドさせたときに、その両側辺２８ａをガイドするガイド桟３５が設けられている。それによって、引き出し部材２８をスライドさせたときに、幅方向に振れるのを規制している。
【００３３】
つぎに、上記構成のベッド装置に設けられた第１、第２の収納ケース１５，１６を収容部１０に出し入れする場合について図５（ａ）〜（ｃ）を参照しながら説明する。
【００３４】
図５（ａ）は収容部１０に第１、第２の収納ケース１５，１６が収容されている状態を示す。箱状体２の収容部１０に第１、第２の収納ケース１５，１６が収容された状態では、その収容部１０の開口部２ａが第１の収納ケース１５に設けられた飾り板１７によって閉塞されている。また、引き出し部材２８は箱状体２の幅方向後方へ押し込められ、後端の係合部３２が第２の収納ケース１６の前端板１６ｂの背面に対向位置している。
【００３５】
このような状態において、第１の収納ケース１５を利用する場合には、図５（ｂ）に示すように、この第１の収納ケース１５を引き出す。それによって、この第２の収納ケース１５に衣類などを収容したり、収容されたものを取り出すなどして利用することができる。
【００３６】
第２の収納ケース１６を利用する場合には、図５（ｂ）に示すように引き出された第１の収納ケース１５を箱状体２から取り外す。つまり、第１の収納ケース１５を引き出し、その両側外面に設けられたインナガイド２４の第２のローラ２６を、アウタガイド１９のアウタレール部材２１から外すことで、第１の収納ケース１５を箱状体２から取り外す。
【００３７】
第１の収納ケース１５を取り外すことで、箱状体２の内底面に設けられた引き出し部材２８が露出する。したがって、この引き出し部材２８の先端に設けられた手掛け部３１に手を掛け、引き出し部材２８を図５（ｃ）に示すように箱状体２の開口部２ａから突出方向に引き出す。それによって、上記引き出し部材２８の後端に設けられた係合部３２が第２の収納ケース１６の前端板１６ｂ内面下端部に設けられた当接部材３４に係合するから、この引き出し部材２８のスライドに第２の収納ケース１６が連動して収納部１０から引き出される。
【００３８】
すなわち、第２の収納ケース１６を利用する場合、利用者は収容部１０の内方へ手を差し込むことなく、手前側に位置する引き出し部材２８の手掛け部３１に手を掛けて引く。それによって、この引き出し部材２８に連動させて第２の収納ケース１６を引き出すことができるから、利用者は収容部１０の内奥に手を差込むことなく、容易に第２の収納ケース１６を引き出すことが可能となる。つまり、第２の収納ケース１６の使い勝手が向上する。
【００３９】
この発明は上記一実施の形態に限定されず、種々変形可能である。たとえば、ベッド本体を２つの箱状体によって形成し、その両方の箱状体にそれぞれ２つの引き出しを出し入れ可能に設けるようにしたが、ベッド本体は少なくとも一方の箱状体に２つの引き出しを出し入れ可能に設けるようにした構成であってもよい。
【００４０】
また、ベッド本体を１つの箱状体によって形成し、その内部を複数の収容部に区画し、各収容部に第１、第２の収納ケースを設けるようにしてもよい。
【００４１】
また、第１の収納ケースをインナレールとアウタレールとによって引き出し可能な構成としたため、第２の収納ケースをガイド桟の上面を利用して出し入れ可能に設けるようにしたが、たとえば収容部の両側にガイド溝を有する部材を奥行き方向の全長にわたって設け、各収納ケースの両側外面に上記ガイド溝にスライド可能に係合するローラや係合部材を設けるようにすれば、２つの収納ケースを共通のガイド溝によってスライド可能に設けることが可能である。
【図面の簡単な説明】
【００４２】
【図１】この発明の一実施の形態を示すベッド装置の正面図。
【図２】ベッド本体を構成する箱状体の一部断面図板平面図。
【図３】（ａ）は箱状体の第１の収納ケースの部分を一部断面して示す正面図、（ｂ）は箱状体の第２の収納ケースの部分を一部断面して示す正面図。
【図４】（ａ）は第１の収納ケースの両側外面に設けられるインナガイドの正面図、（ｂ）は収容部の両側内面に設けられるインナガイドの正面図。
【図５】（ａ）は第１、第２の収納ケースは収容部に収納された状態を示す箱状体の断面図、（ｂ）は第１の収納ケースを引き出した状態を示す箱状体の断面図、（ｃ）は引き出し部材によって第２の収容部を引き出した状態を示す断面図。
【図６】引き出し部材によって第２の収容部を引き出した状態を示す斜視図。
【符号の説明】
【００４３】
１…ベッド本体、２…箱状体、１０…収容部、１５…第１の収納ケース、１６…第２の収納ケース、１８…ガイド桟、１９…アウタガイド、２４…インナガイド、２８…引き出し部材、３２…係合部。
【図１】
2005312752.tif 000003
【図２】
2005312752.tif 000004
【図３】
2005312752.tif 000005
【図４】
2005312752.tif 000006
【図５】
2005312752.tif 000007
【図６】
2005312752.tif 000008